(57)【要約】【課題】複数のアップリンク周波数に対するデータブロックを生成する方法及び装置を提供する。【解決手段】無線装置は、各データブロックがデータの第１の量とデータの第２の量とのうち最小量に合うようにデータブロックのデータフィールドの大きさを決定する。データの第１の量は、第１のアップリンク周波数上の第１の許可によって送信可能な量であり、データの第２の量は、第２のアップリンク周波数上の第２の許可によって送信可能な量である。無線装置は、生成されたデータブロック内のデータ量が、データの第１の量とデータの第２の量とのうち最小量の倍数より小さいように、少なくとも一つのデータブロックを生成する。【選択図】図１０
2013500675.tif 000002
【特許請求の範囲】
【請求項１】
複数のアップリンク周波数に対するデータブロックを生成する方法において、
前記データブロックは、ヘッダ及びデータフィールドを含み、各データブロックがデータの第１の量とデータの第２の量とのうち最小量に合うように前記データブロックのデータフィールドのサイズを決定し、前記データの第１の量は、第１のアップリンク周波数上の第１の許可によって送信可能な量であり、前記データの第２の量は、第２のアップリンク周波数上の第２の許可によって送信可能な量である段階と、
生成されたデータブロック内のデータ量が前記データの第１の量と前記データの第２の量とのうち最小量の倍数より小さいように、少なくとも一つのデータブロックを生成する段階と、
を有する方法。
【請求項２】
前記データブロックは、無線リンク制御（ＲＬＣ）プロトコルデータユニット（ＰＤＵ）である請求項１に記載の方法。
【請求項３】
前記データの第１の量は、前記第１の許可によって送信可能なデータの最大量である請求項２に記載の方法。
【請求項４】
前記データの第２の量は、前記第２の許可によって送信可能なデータの最大量である請求項３に記載の方法。
【請求項５】
前記生成された無線リンク制御プロトコルデータユニットは、論理チャネルを介して媒体接続制御（ＭＡＣ）階層に提供される請求項２に記載の方法。
【請求項６】
前記生成されたデータブロックは、次の送信時間間隔（ＴＴＩ）に送信される請求項１に記載の方法。
【請求項７】
前記生成されたデータブロック内のデータ量は、前記データの第１の量と前記データの第２の量とのうち最小量の８倍に等しいか、又は小さい請求項１に記載の方法。
【請求項８】
前記第１のアップリンク周波数は１次アップリンク周波数であり、前記第２のアップリンク周波数は２次アップリンク周波数である請求項１に記載の方法。
【請求項９】
無線リンク制御（ＲＬＣ）階層を具現し、複数のアップリンク周波数に対するデータブロックを生成するプロセッサを含む無線装置において、前記プロセッサは、
前記データブロックがヘッダ及びデータフィールドを含み、各データブロックがデータの第１の量とデータの第２の量とのうち最小量に合うように前記データブロックのデータフィールドのサイズを決定し、
前記データの第１の量は、第１のアップリンク周波数上の第１の許可によって送信可能な量であり、前記データの第２の量は、第２のアップリンク周波数上の第２の許可によって送信可能な量であり、かつ、
生成されたデータブロック内のデータ量が前記データの第１の量と前記データの第２の量とのうち最小量の倍数より小さいように、少なくとも一つのデータブロックを生成する、無線装置。
【請求項１０】
前記データの第１の量は、前記第１の許可によって送信可能なデータの最大量であり、前記データの第２の量は、前記第２の許可によって送信可能なデータの最大量である請求項９に記載の無線装置。
【請求項１１】
複数のアップリンク周波数上でデータブロックを送信する方法において、
複数のアップリンク周波数に対して複数の第１のアップリンク許可を取得する段階と、
前記複数の第１のアップリンク許可に基づいて基準値を決定する段階と、
前記基準値に基づいて少なくとも一つの上位データブロックを生成する段階と、
前記複数のアップリンク周波数に対して複数の第２のアップリンク許可を取得する段階と、
前記少なくとも一つの上位データブロックを多重化して、前記複数の第２のアップリンク許可に基づいて複数の下位データブロックを生成する段階と、
前記複数のアップリンク周波数の各々の上で、前記複数の下位データブロックの各々を送信する段階と、
を有する方法。
【請求項１２】
前記基準値を決定する段階は、前記複数の第１のアップリンク許可の各々に対し、各第１のアップリンク許可によって送信可能なデータ量を決定する段階と、決定された前記データ量のうち最小量を前記基準値として選択する段階とを含む、請求項１１に記載の方法。
【請求項１３】
各第１のアップリンク許可によって送信可能なデータ量は、各第１のアップリンク許可によって送信可能なデータの最大量である請求項１１に記載の方法。
【請求項１４】
前記少なくとも一つの上位データブロックを生成する段階は、各上位データブロックが前記基準値に合うように上位データブロックのデータフィールドのサイズを決定する段階と、生成された上位データブロック内のデータ量が前記基準値の８倍より小さいか、又は等しいように、前記少なくとも一つの上位データブロックを生成する段階とを含む、請求項１１に記載の方法。
【請求項１５】
複数のアップリンク周波数上でデータブロックを送信する無線装置において、
無線インタフェースプロトコル階層を具現するプロセッサと、
前記プロセッサと接続されて前記複数のアップリンク周波数の各々の上で複数の下位データブロックの各々を送信する無線インタフェース部と、を備え、
前記プロセッサは、
複数のアップリンク周波数に対して複数の第１のアップリンク許可を取得し、
前記複数の第１のアップリンク許可に基づいて基準値を決定し、
前記基準値に基づいて少なくとも一つの上位データブロックを生成し、
前記複数のアップリンク周波数に対して複数の第２のアップリンク許可を取得し、かつ、
前記少なくとも一つの上位データブロックを多重化して前記複数の第２のアップリンク許可に基づいて前記複数の下位データブロックを生成する、無線装置。
【発明の詳細な説明】
【技術分野】
【０００１】
本発明は、無線通信に関し、より詳しくは、無線通信システムにおける複数のアップリンク周波数上でデータブロックを生成したり、送信したりする方法及び装置に関する。
【背景技術】
【０００２】
無線通信システムが音声やデータのような多様な形態の通信コンテンツを提供するために配置されている。一般的な無線通信システムは、可用なシステムリソース（帯域幅、送信電力、等）を共有して多数のユーザに通信をサポートする多元接続システムである。多元接続システムの例として、符号分割多元接続（ＣＤＭＡ）システム、時分割多元接続（ＴＤＭＡ）システム、直交周波数分割多元接続（ＯＦＤＭＡ）システムなどがある。これらのシステムは、第３世代パートナシッププロジェクト（３ＧＰＰ）、高速パケット接続（ＨＳＰＡ）、高速ダウンリンクパケット接続（ＨＳＤＰＡ）、高速アップリンクパケット接続（ＨＳＵＰＡ）、３ＧＰＰ長期進化システム（ＬＴＥ）などのような標準仕様による。
【０００３】
無線通信が普及するにつれて、ユーザは、高い送信速度のようなより高い性能を要求している。より高い送信速度を得るための一つの方法は、搬送波集成（ｃａｒｒｉｅｒ ａｇｇｒｅｇａｔｉｏｎ）を具現して帯域幅を増加させることである。搬送波集成は、複数の搬送波（又は、複数の周波数）を使用する。例えば、基地局は、複数のダウンリンク搬送波を介してデータを送信し、端末は、複数のアップリンク搬送波を介してデータを送信することができる。したがって、装備の複雑度を増加させずにより高い送信速度を得ることができる。
【０００４】
既存システムの無線インタフェースプロトコル階層は、単一搬送波を基準に設計されている。したがって、多重搬送波に既存無線インタフェースプロトコル階層をそのまま適用することは非効率的である。
【発明の概要】
【発明が解決しようとする課題】
【０００５】
本発明は、複数の搬送波に対するデータブロックを生成する方法及び装置を提供する。
【０００６】
また、本発明は、複数の搬送波上でデータブロックを送信する方法及び装置を提供する。
【課題を解決するための手段】
【０００７】
一態様において、複数のアップリンク周波数に対するデータブロックを生成する方法が提供される。上記方法は、上記データブロックが、ヘッダ及びデータフィールドを含み、各データブロックがデータの第１の量とデータの第２の量とのうち最小量に合うように上記データブロックのデータフィールドのサイズを決定し、上記データの第１の量は、第１のアップリンク周波数上の第１の許可によって送信可能な量であり、上記データの第２の量は、第２のアップリンク周波数上の第２の許可によって送信可能な量である段階と、生成されたデータブロック内のデータ量が上記データの第１の量と上記データの第２の量とのうち最小量の倍数より小さいように、少なくとも一つのデータブロックを生成する段階とを含む。
【０００８】
上記データブロックは、無線リンク制御（ＲＬＣ）プロトコルデータユニット（ＰＤＵ）である。
【０００９】
上記データの第１の量は、上記第１の許可によって送信可能なデータの最大量であり、上記データの第２の量は、上記第２の許可によって送信可能なデータの最大量である。
【００１０】
上記生成されたＲＬＣ ＰＤＵは、論理チャネルを介して媒体接続制御（ＭＡＣ）階層に供給される。
【００１１】
上記生成されたデータブロックは、次の送信時間間隔（ＴＴＩ）に送信される。
【００１２】
上記生成されたデータブロック内のデータ量は、上記データの第１の量と上記データの第２の量とのうち最小量の８倍に等しいか、又は小さい。
【００１３】
上記第１のアップリンク周波数は、１次アップリンク周波数であり、上記第２のアップリンク周波数は、２次アップリンク周波数である。
【００１４】
他の態様において、ＲＬＣ階層を具現し、複数のアップリンク周波数に対するデータブロックを生成するプロセッサを含む無線装置が提供される。上記プロセッサは、上記データブロックがヘッダ及びデータフィールドを含み、各データブロックがデータの第１の量とデータの第２の量とのうち最小量に合うように上記データブロックのデータフィールドのサイズを決定し、上記データの第１の量は、第１のアップリンク周波数上の第１の許可によって送信可能な量であり、上記データの第２の量は、第２のアップリンク周波数上の第２の許可によって送信可能な量であり、かつ、生成されたデータブロック内のデータ量が上記データの第１の量と上記データの第２の量とのうち最小量の倍数より小さいように、少なくとも一つのデータブロックを生成する。
【００１５】
他の態様において、複数のアップリンク周波数上でデータブロックを送信する方法が提供される。上記方法は、複数のアップリンク周波数に対して複数の第１のアップリンク許可を取得する段階と、上記複数の第１のアップリンク許可に基づいて基準値を決定する段階、上記基準値に基づいて少なくとも一つの上位データブロックを生成する段階と、上記複数のアップリンク周波数に対して複数の第２のアップリンク許可を取得する段階と、上記少なくとも一つの上位データブロックを多重化して上記複数の第２のアップリンク許可に基づいて複数の下位データブロックを生成する段階と、上記複数のアップリンク周波数の各々の上で、上記複数の下位データブロックの各々を送信する段階とを含む。
【００１６】
上記基準値を決定する段階は、上記複数の第１のアップリンク許可の各々に対し、各第１のアップリンク許可によって送信可能なデータ量を決定する段階と、決定された上記データ量のうち最小量を上記基準値として選択する段階とを含むことができる。
【００１７】
上記少なくとも一つの上位データブロックを生成する段階は、各上位データブロックが上記基準値に合うように上位データブロックのデータフィールドのサイズを決定する段階と、生成された上位データブロック内のデータ量が上記基準値の８倍より小さいか、又は等しいように、上記少なくとも一つの上位データブロックを生成する段階と、を含むことができる。
【００１８】
他の態様において、複数のアップリンク周波数上にデータブロックを送信する無線装置が提供される。上記無線装置は、無線インタフェースプロトコル階層を具現するプロセッサと、上記プロセッサと接続されて上記複数のアップリンク周波数の各々の上で、複数の下位データブロックの各々を送信する無線インタフェース部とを含む。上記プロセッサは、複数のアップリンク周波数に対して複数の第１のアップリンク許可を取得し、上記複数の第１のアップリンク許可に基づいて基準値を決定し、上記基準値に基づいて少なくとも一つの上位データブロックを生成し、上記複数のアップリンク周波数に対して複数の第２のアップリンク許可を取得し、かつ、上記少なくとも一つの上位データブロックを多重化して、上記複数の第２のアップリンク許可に基づいて上記複数の下位データブロックを生成する。
【発明の効果】
【００１９】
端末が複数の周波数のための複数のアップリンク許可を考慮してＲＬＣ ＰＤＵを予め生成する。ＲＬＣ ＰＤＵがＭＡＣ ＰＤＵに多重化されるとき、又はＭＡＣ ＰＤＵから逆多重化されるとき、複雑度を減らすことができる。また、複数の周波数に適するデータ量に該当するＲＬＣ ＰＤＵを提供することができる。
【図面の簡単な説明】
【００２０】
【図１】本発明が適用される汎用移動体通信システム（ＵＭＴＳ）ネットワークを示す図である。
【図２】ＵＭＴＳにおける無線プロトコルの構造を示す図である。
【図３】専用チャネル（ＤＣＨ）及び強化専用チャネル（Ｅ-ＤＣＨ）の構造を示す図である。
【図４】Ｅ-ＤＣＨのためのプロトコルモデルを示す図である。
【図５】Ｅ-ＤＣＨとＤＣＨとの電力共有を示す図である。
【図６】完全無線考慮ＲＬＣ ＰＤＵの送信を示す図である。
【図７】部分無線考慮ＲＬＣ ＰＤＵの送信を示す図である。
【図８】ＵＭＴＳにおける部分無線考慮ＲＬＣ ＰＤＵに対する階層別動作を示す図である。
【図９】単純化された二重セルＥ-ＤＣＨの構造を示す図である。
【図１０】本発明の一実施例に係るデータブロック送信方法を示すフローチャートである。
【図１１】段階Ｓ１０３０のＲＬＣ ＰＤＵ生成を示すフローチャートである。
【図１２】提案された方法を実施する一例を示す図である。
【図１３】提案された方法を実施する他の例を示す図である。
【図１４】本発明の実施例を具現する無線装置を示すブロック図である。
【発明を実施するための形態】
【００２１】
図１は、本発明が適用される汎用移動体通信システム（ＵＭＴＳ）ネットワークを示す。
【００２２】
コアネットワーク（ＣＮ）は、加入者情報（ｔｒａｆｆｉｃ）を中継する。ＵＭＴＳ地上無線接続ネットワーク（ＵＴＲＡＮ）は、一つ又はそれ以上の無線ネットワークシステム（ＲＮＳ）を含む。ＲＮＳは、無線ネットワーク制御装置（ＲＮＣ）及び基地局（ＢＳ）を含む。基地局のサービス範囲（ｃｏｖｅｒａｇｅ）は、一つ又はそれ以上のセルを含む。
【００２３】
基地局は、端末（ＵＥ）に制御面（ｃｏｎｔｒｏｌ ｐｌａｎｅ）及びユーザ面（ｕｓｅｒ ｐｌａｎｅ）を提供する。
【００２４】
端末は、固定であってもよいし、移動するものであってもよく、移動機（ＭＳ）、ユーザ端末（ＵＴ）、加入者局（ＳＳ）、移動体端末（ＭＴ）、無線機器、等、他の用語で呼んでもよい。基地局は、端末と通信する固定局を意味し、ノードＢ、無線基地局装置（ＢＴＳ）、アクセスポイント、等、他の用語で呼んでもよい。
【００２５】
図２は、ＵＭＴＳにおける無線プロトコルの構造を示す。
【００２６】
端末とネットワークとの間の無線インタフェースプロトコルの階層は、通信システムで広く知られた開放型システム間相互接続（ＯＳＩ）参照モデルの下位３階層に基づいて、Ｌ１（第１階層）、Ｌ２（第２階層）、Ｌ３（第３階層）に区分することができ、このうち第１階層に属する物理階層は、物理チャネルを用いた情報転送サービスを提供し、第３階層に位置する無線リソース制御（ＲＲＣ）階層は、端末とネットワークとの間の無線リソースを制御する役割を遂行する。このために、ＲＲＣ階層は端末と基地局との間でＲＲＣメッセージを交換する。
【００２７】
ユーザ面は、ユーザデータ送信のためのプロトコルスタックであり、制御面は、制御信号送信のためのプロトコルスタックである。
【００２８】
物理階層（ＰＨＹ）は、物理チャネルを用いて上位階層に情報転送サービスを提供する。物理階層は、上位階層である媒体接続制御（ＭＡＣ）階層とは伝送チャネル（ｔｒａｎｓｐｏｒｔ ｃｈａｎｎｅｌ）を介して接続されている。伝送チャネルを介してＭＡＣ階層と物理階層との間でデータが移動する。伝送チャネルは、チャネルの共有可否によって専用伝送チャネルと共通伝送チャネルとに分けられる。
【００２９】
ＭＡＣ階層の機能は、論理チャネルと伝送チャネルとをマップし、複数の論理チャネルを一つの伝送チャネルにマップする論理チャネル多重化／逆多重化を含む。ＭＡＣ階層は、論理チャネルを介して無線リンク制御（ＲＬＣ）階層にサービスを提供する。
【００３０】
論理チャネルは、送信される情報の種類によって制御面の情報を送信する制御チャネルと、ユーザ面の情報を送信する情報（ｔｒａｆｆｉｃ）チャネルとに分けられる。
【００３１】
ＭＡＣ階層は、細部的に管理する伝送チャネルの種類によってＭＡＣ-ｂ副層、ＭＡＣ-ｄ副層、ＭＡＣ-ｃ／ｓｈ副層、ＭＡＣ-ｈｓ／ｅｈｓ副層、及びＭＡＣ-ｅ／ｅｓ又はＭＡＣ-／ｉ／ｉｓ副層に区分される。ＭＡＣ-ｂ副層は、システム情報の同報を担当する伝送チャネルである同報チャネル（ＢＣＨ）の管理を担当する。ＭＡＣ-ｃ／ｓｈ副層は、他の端末と共有される下りアクセスチャネル（ＦＡＣＨ）又はダウンリンク共有チャネル（ＤＳＣＨ）等の共通伝送チャネルを管理する。ＭＡＣ-ｄ副層は、特定端末に対する専用伝送チャネルである専用チャネル（ＤＣＨ）の管理を担当する。ダウンリンク及びアップリンクに高速データ送信をサポートするために、ＭＡＣ-ｈｓ／ｅｈｓ副層は、高速ダウンリンクデータ送信のための伝送チャネルである高速ダウンリンク共有チャネル（ＨＳ-ＤＳＣＨ）を管理する。ＭＡＣ-ｅ／ｅｓ又はＭＡＣ-ｉ／ｉｓ副層は、高速アップリンクデータ送信のための伝送チャネルである強化専用チャネル（Ｅ-ＤＣＨ）を管理する。
【００３２】
ＲＬＣ階層の機能は、各無線ベアラ（ＲＢ）が要求するサービス品質（ＱｏＳ）に対する保障及びこれによるデータの送信を担当する。各ＲＢ固有のＱｏＳを保障するために、ＲＢ毎に一つ又は二つの独立したＲＬＣエンティティがある。多様なＱｏＳをサポートするために、ＲＬＣ階層は、透過モード（ＴＭ）、非確認モード（ＵＭ）、及び確認モード（ＡＭ）の３つの動作モードを提供する。また、ＲＬＣ階層は、下位階層が無線媒体を介するデータの送信に適するようにデータサイズを調節するために、上位階層から受信したデータを分割及び結合する機能も実行する。
【００３３】
パケットデータ融合プロトコル（ＰＤＣＰ）階層は、ＲＬＣ階層の上位階層であり、ヘッダ圧縮を実行する。ＰＤＣＰ階層は、ヘッダ圧縮が基本機能であるため、主にパケット交換（ＰＳ）領域に存在し、ＲＢ当たり一つのＰＤＣＰエンティティがある。
【００３４】
第２階層に属する同報多対地送信制御（ＢＭＣ）階層は、ＲＬＣ階層の上位階層であり、セル同報メッセージをスケジュールする機能を遂行する。
【００３５】
第３階層に属するＲＲＣ階層は、制御面においてだけ定義される。ＲＲＣ階層は、ＲＢの設定、再設定、及び解放と関連して論理チャネル、伝送チャネル、及び物理チャネルの制御を担当する。
【００３６】
ＲＢは、端末とＵＴＲＡＮとの間のデータ伝達のために第１階層（ＰＨＹ階層）及び第２階層（ＭＡＣ階層、ＲＬＣ階層、ＰＤＣＰ階層）によって提供される論理経路を意味する。ＲＢが設定されるということは、特定サービスを提供するために無線プロトコル階層及びチャネルの特性を規定し、各々の具体的なパラメータ及び動作方法を設定する過程を意味する。
【００３７】
以下、ＭＡＣ階層に対し、より詳細に説明する。ＭＡＣ階層は、論理チャネルを介して上位階層であるＲＬＣ階層にサービスを提供する。
【００３８】
図３は、ＤＣＨ及びＥ-ＤＣＨの構造を示す。
【００３９】
ＤＣＨ及びＥ-ＤＣＨの両方とも、端末がＵＴＲＡＮにアップリンクデータの送信時に使用する専用伝送チャネルである。Ｅ-ＤＣＨは、ＤＣＨに比べて高速をサポートし、ハイブリッド自動再送要求（ＨＡＲＱ）、適応変調符号化（ＡＭＣ）、基地局制御スケジュールなどをサポートする。
【００４０】
Ｅ-ＤＣＨのために、基地局は、端末に端末のＥ-ＤＣＨ送信を制御するダウンリンク制御情報を送信する。ダウンリンク制御情報は、ＨＡＲＱのための肯定応答（ＡＣＫ）／否定応答（ＮＡＣＫ）信号、ＡＭＣのためのチャネル品質情報（ＣＱＩ）、基地局制御スケジュールのためのＥ-ＤＣＨ送信速度割当、Ｅ-ＤＣＨ送信開始時間、Ｅ-ＤＣＨ送信時間区間割当、伝送ブロックサイズなどを含む。
【００４１】
端末は、基地局にアップリンク制御情報を送信する。アップリンク制御情報は、基地局制御スケジュールのためのＥ-ＤＣＨ送信速度要求、端末バッファ状態、端末電力状態などを含む。
【００４２】
Ｅ-ＤＣＨのためのアップリンク制御情報及びダウンリンク制御情報は、強化専用物理制御チャネル（Ｅ-ＤＰＣＣＨ）のような物理制御チャネルを介して送信される。
【００４３】
Ｅ-ＤＣＨのために、ＭＡＣ-ｄとＭａｃ-ｉとの間にはＭＡＣ-ｄフローが定義される。専用論理チャネルは、ＭＡＣ-ｄフローにマップされ、ＭＡＣ-ｄフローは、伝送チャネルＥ-ＤＣＨにマップされる。また、伝送チャネルＥ-ＤＣＨは、強化専用物理データチャネル（Ｅ-ＤＰＤＣＨ）にマップされる。
【００４４】
伝送チャネルＤＣＨには専用論理チャネルが直接マップされる場合もある。伝送チャネルＤＣＨは、専用物理データチャネル（ＤＰＤＣＨ）にマップされる。
【００４５】
ＭＡＣ-ｄ副層は、特定端末に対する専用伝送チャネルであるＤＣＨの管理を担当し、Ｍａｃ-ｉ副層は、アップリンクデータを高速送信するために使われるＥ-ＤＣＨを担当する。
【００４６】
送信器のＭＡＣ-ｄ副層は、上位階層、すなわち、ＲＬＣ階層から伝達を受けたＭＡＣ-ｄサービスデータユニット（ＳＤＵ）からＭＡＣ-ｄ ＰＤＵを構成する。受信器のＭＡＣ-ｄ副層は、下位階層から受信したＭＡＣ-ｄ ＰＤＵからＭＡＣ-ｄ ＳＤＵを復元して上位階層に伝達する。
【００４７】
ＭＡＣ-ｄ階層は、ＭＡＣ-ｄフローを介してＭＡＣ-ｉ副層と互いにＭＡＣ-ｄ ＰＤＵを交換したり、又はＤＣＨを介して物理階層と互いにＭＡＣ-ｄ ＰＤＵを交換したりする。受信器のＭＡＣ-ｄ副層は、ＭＡＣ-ｄ ＰＤＵに付加されたＭＡＣ-ｄヘッダを用い、ＭＡＣ-ｄ ＳＤＵを復元し、これを上位階層に伝達する。
【００４８】
送信器のＭＡＣ-ｉ副層は、上位階層、すなわちＭＡＣ-ｄ副層から伝達を受けたＭＡＣ-ｄ ＰＤＵ、すなわちＭＡＣ-ｉ ＳＤＵからＭＡＣ-ｉ ＰＤＵを構成する。受信器のＭＡＣ-ｉ副層は、下位階層、すなわち物理階層から受信したＭＡＣ-ｉ ＰＤＵからＭＡＣ-ｉ ＳＤＵを復元して上位階層に伝達する。ＭＡＣ-ｉ副層は、Ｅ-ＤＣＨを介して物理階層と互いにＭＡＣ-ｉ ＰＤＵを交換する。受信器のＭＡＣ-ｉ副層は、ＭＡＣ-ｉ ＰＤＵに付加されたＭＡＣ-ｉヘッダを用い、ＭＡＣ-ｉ ＳＤＵを復元し、これを上位階層に伝達する。
【００４９】
ＲＬＣ ＰＤＵは、ＲＬＣ階層で構成し、ヘッダ及びデータフィールドを含む。データフィールドには、ＲＬＣ ＳＤＵ又はＲＬＣ ＳＤＵの断片（ｓｅｇｍｅｎｔ）がマップされる。ＲＬＣ ＰＤＵの構成は、３ＧＰＰ，ＴＳ ２５.３２２ Ｖ８.４.０，“Ｒａｄｉｏ Ｌｉｎｋ Ｃｏｎｔｒｏｌ（ＲＬＣ） ｐｒｏｔｏｃｏｌ ｓｐｅｃｉｆｉｃａｔｉｏｎ（Ｒｅｌｅａｓｅ８）”，２００９年３月の９節を参照されたい。
【００５０】
図４は、Ｅ-ＤＣＨのためのプロトコルモデルを示す。
【００５１】
Ｅ-ＤＣＨをサポートするＭＡＣ-ｉ副層は、ＵＴＲＡＮのＭＡＣ-ｄ副層及び端末のＭＡＣ-ｄ副層の下位に存在する。ＵＴＲＡＮのＭＡＣ-ｉ副層は基地局に位置し、ＵＴＲＡＮのＭＡＣ-ｄ副層は端末の管理を担当するサービス提供ＲＮＣ（ＳＲＮＣ）に位置する。端末にはＭＡＣ-ｉ副層及びＭＡＣ-ｄ副層が存在する。
【００５２】
以下、Ｅ-ＤＣＨのための制御情報の送信に関して説明する。
【００５３】
基地局のスケジューラは、アップリンクデータの送信効率を上げるために、各セルの端末に最適の無線リソース割当をする役割をする。例えば、無線チャネル状態の良い端末には多くの無線リソースを割り当て、無線チャネル状態の良くない端末には少ない無線リソースを割り当てる。
【００５４】
しかしながら、上記スケジューラが端末に適切な無線リソースを割り当てるためには、無線チャネルの状態だけでなく、上記端末がＥ-ＤＣＨのために使用することができる電力、上記端末が送信しようとするデータ量のような情報が必要である。端末が良い無線チャネル下にあるとしても、Ｅ-ＤＣＨのために使用することができる残った電力のない場合、又は残ったアップリンクデータのない場合、スケジューラが端末に無線リソースを割り当てる必要はない。
【００５５】
したがって、端末は、基地局のスケジューラにアップリンク制御情報を送ることが必要であり、アップリンク制御情報の送信には多様な方式が使われる。例えば、基地局は端末に、アップリンクデータ量が一定範囲を越えると、基地局に報告するか、又は周期的にアップリンク制御情報の送付するように指定することができる。
【００５６】
端末は、基地局のスケジューラから無線リソースの割当を受けると、割当を受けた無線リソース内でＭＡＣ ＰＤＵを構成してＥ-ＤＣＨを介して基地局に送信する。
【００５７】
端末は、自分が送るアップリンクデータがあるとき、基地局にアップリンク制御情報を送って無線リソースの割当を要求する。基地局は、アップリンク制御情報に基づいて無線リソース割当情報を端末に送る。ここで、無線リソース割当情報はアップリンク許可（ｕｐｌｉｎｋ ｇｒａｎｔ）とも呼ばれ、アップリンク電力の最大値又は基準チャネルに対する比率などを多様な形態で示すことができる。端末は、上記アップリンク許可に基づいてＭＡＣ ＰＤＵを生成する。
【００５８】
ＵＭＴＳにおいて、無線リソース割当情報には二つの種類がある。一つは絶対許可（ＡＧ）であり、残りは相対許可（ＲＧ）である。ＡＧは、端末が使用する許可の絶対値を知らせることである。ＲＧは、端末が以前に（例えば、先行するＴＴＩで）使用した許可に対する差分値を知らせることである。
【００５９】
端末がリソース割当を要求すると、基地局はＡＧを用いて端末に無線リソースを割り当てる。端末は上記ＡＧにサービス提供許可（ＳＧ：Ｓｅｒｖｉｎｇ Ｇｒａｎｔ）を設定した後、ＳＧ内でアップリンクデータを送信する。この後、基地局は、チャネル状態、端末のバッファ、端末の干渉などを考慮する。例えば、基地局は、端末の信号強度が大きくて他の端末の信号に激しい干渉を及ぼすと判断すると、端末にＳＧを低めるようにするＲＧを送る。その反対の場合、端末にＳＧを高めるようにするＲＧを送る。端末は、受信されたＲＧに基づいてＳＧを調整し、ＳＧ内で無線リソースを使用する。
【００６０】
端末は、ＳＧを用いてＥ-ＤＣＨ伝送フォーマット組合せ（Ｅ-ＴＦＣ）選択を実行し、今回のＴＴＩにＥ-ＤＣＨチャネルを介して送信するデータ量を決定する。各ＲＬＣ ＰＤＵは、許可によって送信することができるデータ量に一致する。
【００６１】
許可は、スケジュールされた許可とスケジュールされていない許可とに区分することができる。スケジュールされた許可は、ＴＴＩ毎に使用する許可を取得することである。スケジュールされていない許可は、使用可能な許可（又はデータ量）を指定しておき、別途の許可を基地局から受信しなくても指定された許可を使用することである。以下、許可とは、スケジュールされた許可又はスケジュールされていない許可を指す。或いは、許可とは、特定ＴＴＩでスケジュールされた許可とスケジュールされていない許可との和である。
【００６２】
以下、Ｅ-ＴＦＣ選択に対して説明する。
【００６３】
一つのＭＡＣ ＰＤＵには、一つ又はそれ以上の論理チャネルからのＲＬＣ ＰＤＵを多重化することができる。一つのＲＢには一つの論理チャネルが対応する。高い優先順位を有する論理チャネルのＲＬＣ ＰＤＵからＭＡＣ ＰＤＵに多重化してもよい。
【００６４】
Ｅ-ＴＦＣ選択は、端末がＥ-ＤＣＨ送信のために利用可能な電力及び基地局から受信したアップリンク許可に基づいて、現在（又は次の）ＴＴＩに多重化される（又は送信される）各論理チャネル（又は各ＲＢ）のデータ量を決定することである。
【００６５】
図５は、Ｅ-ＤＣＨとＤＣＨとの電力共有を示す。
【００６６】
アップリンク送信において、端末は許容された最大送信電力を超過することができない。ＤＣＨ送信がＥ-ＤＣＨ送信より優先するため、端末は、まず最大送信電力からＤＣＨ送信のために必要な電力を引いた残りの電力をＥ-ＤＣＨ送信に割り当てることができる。端末は、Ｅ-ＤＣＨ送信に割り当てられた電力を用いてＥ-ＴＦＣ選択を実行する。
【００６７】
端末は、上記Ｅ-ＤＣＨ送信のための電力とその電力を用いて送信可能なデータ量とを決定する。また、現在ＴＴＩに送信する各論理チャネルに対するデータ量を論理チャネルの優先順位によって決定する。
【００６８】
以下、ＲＬＣ ＰＤＵのサイズ決定及びＲＬＣ ＰＤＵ生成に対して説明する。
【００６９】
ＲＬＣ ＰＤＵのサイズを決定する方法には、固定サイズを使用する方法と可変（ｆｌｅｘｉｂｌｅ）サイズを使用する方法の二つがある。
【００７０】
固定サイズを使用する方法は、送信可能なデータ量を考慮すること無しに、固定サイズのまま分割してＲＬＣ ＰＤＵを生成することである。ＭＡＣ階層に伝達されたＲＬＣ ＰＤＵは、ＭＡＣ-ｄ副層、ＭＡＣ-ｉｓ副層を経てＭＡＣ-ｉ副層で一つのＭＡＣ-ｉ ＰＤＵに多重化される。送信可能なデータ量が生成されたＲＬＣ ＰＤＵのサイズより相当大きい場合、多くのＲＬＣ ＰＤＵが一つのＭＡＣ-ｉ ＰＤＵに多重化される。各ＲＬＣ ＰＤＵはヘッダを含むため、複数のヘッダのために、一つの大きいＲＬＣ ＰＤＵがＭＡＣ-ｉ ＰＤＵに多重化される場合よりも多いオーバヘッドが発生する。送信可能なデータ量が生成されたＲＬＣ ＰＤＵのサイズより相当小さい場合、一つのＲＬＣ ＰＤＵは多くの数に分割されて複数のＭＡＣ-ｉ ＰＤＵに分けられて多重化される。一つの完全なＲＬＣ ＰＤＵのために長い待ち時間（Ｌａｔｅｎｃｙ）が発生することがある。
【００７１】
可変サイズを使用する方法は、ＲＬＣ ＰＤＵを送信可能なデータ量に合わせる。これをサポートするには二つの方法がある。一つは、現在ＴＴＩで送信可能なデータ量を計算した後、ＲＬＣ ＰＤＵをデータ量に合うように生成する完全無線考慮（ｆｕｌｌｙ ｒａｄｉｏ ａｗａｒｅ）方式である。残りは、現在ＴＴＩで送信可能であったデータ量だけＲＬＣ ＰＤＵを予め生成しておき、次のＴＴＩで予め生成されたＲＬＣ ＰＤＵを送信する部分無線考慮（ｐａｒｔｉａｌｌｙ ｒａｄｉｏ ａｗａｒｅ）方式である。
【００７２】
図６は、完全無線考慮ＲＬＣ ＰＤＵの送信を示す。
【００７３】
端末は基地局からアップリンク許可を取得する（Ｓ６１０）。アップリンク許可に基づいてＥ-ＴＦＣ選択を実行して送信されるデータ量を決定する（Ｓ６２０）。決定されたデータ量に合うようにＲＬＣ ＰＤＵを生成する（Ｓ６３０）。生成されたＲＬＣ ＰＤＵはＭＡＣ ＰＤＵに多重化されて物理チャネルにマップされる（Ｓ６４０）。物理チャネル上でＭＡＣ ＰＤＵが送信される（Ｓ６５０）。
【００７４】
現ＴＴＩにおいて、許可によって送信可能なデータ量に合うようにＲＬＣ ＰＤＵを生成し、下位階層に伝達する。したがって、生成されたＲＬＣ ＰＤＵがＭＡＣ ＰＤＵに正確なサイズに満たされる。しかしながら、一つのＴＴＩ中に送信可能なデータ量をＥ-ＴＦＣ選択を実行して求めた後、ＲＬＣ ＰＤＵを生成することが必要である。特に、ＲＬＣ ＰＤＵ生成時、多くの演算が要求される暗号化が実行されるため、この方法をサポートするためには高性能のハードウェアが必要である。
【００７５】
図７は、部分無線考慮ＲＬＣ ＰＤＵの送信を示す。
【００７６】
ＴＴＩ ｋにおいて、端末は基地局から第１のアップリンク許可を取得する（Ｓ７１０）。第１のアップリンク許可に基づいてＥ-ＴＦＣ選択を実行して送信されるデータの第１の量を決定する（Ｓ７２０）。決定されたデータの第１の量に合うようにＲＬＣ ＰＤＵを生成する（Ｓ７３０）。生成されたＲＬＣ ＰＤＵは、現ＴＴＩではなく次のＴＴＩに使われるものである。現ＴＴＩでは以前に生成されたＲＬＣ ＰＤＵが多重化されて送信される。
【００７７】
ＴＴＩ ｋ+１において、端末は基地局から第２のアップリンク許可を取得する（Ｓ７４０）。第２のアップリンク許可に基づいてＥ-ＴＦＣ選択を実行して送信されるデータの第２の量を決定する（Ｓ７５０）。ＴＴＩ ｋにおいて予め生成されたＲＬＣ ＰＤＵが多重化されてＭＡＣ ＰＤＵを構成する（Ｓ７６０）。ＭＡＣ ＰＤＵはデータの第２の量に該当するサイズを有する。ＭＡＣ ＰＤＵは物理チャネルにマップされて送信される（Ｓ７７０）。
【００７８】
先行するＴＴＩにおいて決定されたデータ量を基準に予めＲＬＣ ＰＤＵを生成した後、次のＴＴＩにおいてそれを用いて送信する方法においては、現在のＴＴＩ送信において以前に予め生成したＲＬＣ ＰＤＵを用いるため、ＲＬＣ ＰＤＵの生成に必要な時間を減らすことができる。
【００７９】
一般的に、許可は特定ＴＴＩにだけ有効である。したがって、ＴＴＩ毎に送信可能なデータ量は連続的に変化してもよいため、ＲＬＣ ＰＤＵを十分に生成しておくために、部分無線考慮ＲＬＣ ＰＤＵは、現ＴＴＩのデータ量の４倍まで予め生成することができる。
【００８０】
送信可能なデータ量が変化したとき、以前に予め生成されたＲＬＣ ＰＤＵが現ＴＴＩで実際に送信することができるデータ量と異なる場合もある。ＭＡＣ階層は、ＲＬＣ ＰＤＵを送信するＭＡＣ ＰＤＵのサイズに合わせる分割（Ｓｅｇｍｅｎｔａｔｉｏｎ）作業を実行することができる。例えば、先行するＴＴＩに比べて送信可能なデータ量が減って予め生成されたＲＬＣ ＰＤＵがＭＡＣ ＰＤＵに合わない場合、予め生成されたＲＬＣ ＰＤＵを分割してＭＡＣ ＰＤＵに多重化する。送信して残ったＲＬＣ ＰＤＵの断片は次のＴＴＩに送信される。先行するＴＴＩに比べて送信可能なデータ量が増えた場合、ＲＬＣ ＰＤＵを順に増えているＭＡＣ ＰＤＵのサイズに合うように調整し、最後に残る部分にはその次のＲＬＣ ＰＤＵを分割してそのサイズに合うように調整する。
【００８１】
図８は、ＵＭＴＳで部分無線考慮ＲＬＣ ＰＤＵに対する階層別動作を示す。３個のＲＢ、ＲＢ１、ＲＢ２、ＲＢ３があり、ＲＢの優先順位は全部同じであると仮定する。各ＲＢに複数の論理チャネル、ＬＣ１、ＬＣ２、ＬＣ３が各々対応する。
【００８２】
第１のＴＴＩで、取得した第１のアップリンク許可に基づいて各論理チャネル別に送信可能なデータの第１の量を決定する。例えば、ＬＣ１は５０バイト、ＬＣ２は３０バイト、ＬＣ３は２０バイトと仮定する。
【００８３】
ＲＬＣ階層は、各論理チャネル別に決定されたデータの第１の量に合うＲＬＣ ＰＤＵを予め生成する。ＬＣ１は、５０バイトのサイズを有するＲＬＣ ＰＤＵを生成し、ＬＣ２は、３０バイトのサイズを有するＲＬＣ ＰＤＵを生成し、ＬＣ３は、２０バイトのサイズを有するＲＬＣ ＰＤＵを生成する。このとき、より正確にはＲＬＣ ＰＤＵのデータフィールドのサイズがデータ量に一致するということができるが、以下では別途の区別なしに記述する。
【００８４】
第２のＴＴＩにおいて、取得した第２のアップリンク許可に基づいて端末が送信するデータの第２の量が決定されると、ＲＬＣ階層において第１のＴＴＩで予め生成したＲＬＣ ＰＤＵをＭＡＣ階層に伝達する。ＲＬＣ ＰＤＵ内のデータ量は、データの第２の量に等しいか、又は大きい。例えば、決定されたデータの第２の量が１００バイトのとき、３個の論理チャネルの優先順位が同じであるため、５０バイトのサイズを有するＬＣ１のＲＬＣ ＰＤＵ、３０バイトのサイズを有するＬ２のＲＬＣ ＰＤＵ、及び２０バイトのサイズを有するＬ３のＲＬＣ ＰＤＵが一つのＭＡＣ ＰＤＵに多重化される。
【００８５】
論理チャネル別に残っているデータ量が今回の許可により送信された量の４倍より少ない場合には、各論理チャネルで今回に送信されるデータの第２の量によってＲＬＣ ＰＤＵを追加で予め生成することができる。追加で予め生成されたＲＬＣ ＰＤＵは生成された順に次の送信から使われる。予め生成されたＲＬＣ ＰＤＵ内のデータ量が足りない場合、追加でＲＬＣ ＰＤＵが生成されることがある。
【００８６】
以下、二重セル（Ｄｕａｌ Ｃｅｌｌ）Ｅ-ＤＣＨに関して記述する。
【００８７】
二重セルＥ-ＤＣＨは、Ｅ-ＤＣＨ送信に２個の搬送波を使用するものである。すなわち、既存ＵＭＴＳが一つの搬送波を使用することを複数搬送波に拡張することである。搬送波は中心周波数及び帯域幅で定義され、一つの搬送波は一つの周波数に対応してもよいし、一つのセルに対応してもよい。搬送波は簡単に周波数とも呼ばれる。
【００８８】
図９は、単純化された二重セルＥ-ＤＣＨの構造を示す。
【００８９】
二重セルＥ-ＤＣＨの導入はＭＡＣ階層に多くの影響を及ぼす。例えば、二重セルＥ-ＤＣＨでは二つのＥ-ＤＣＨを介したアップリンク送信が可能である。一つのＨＡＲＱエンティティは、一つのアップリンク送信を管理するため、二重セルＥ-ＤＣＨのために、ＭＡＣエンティティは、二つのＨＡＲＱエンティティと関連した動作を実行することが必要である。また、各ＨＡＲＱエンティティによって独立に伝送ブロック（Ｔｒａｎｓｐｏｒｔ Ｂｌｏｃｋ）が処理されるため、二重セルＥ-ＤＣＨにおいて端末は二つの搬送波を介して２個の伝送ブロックを一つのＴＴＩにおいて送信することができる。
【００９０】
搬送波は活性搬送波と不活性搬送波とに区分することができる。活性搬送波はデータの送信又は受信に使われる搬送波であり、不活性搬送波は測定等最小限の動作だけが可能な搬送波である。
【００９１】
或いは、搬送波は１次搬送波と２次搬送波とに区分することができる。１次搬送波はＨＡＲＱのためのＡＣＫ／ＮＡＣＫ信号が送信される搬送波である。例えば、複数のアップリンク搬送波があっても、ダウンリンクデータに対するＨＡＲＱ ＡＣＫ／ＮＡＣＫ信号は、複数のアップリンク搬送波のうち一つ又はそれ以上のアップリンク搬送波を介して送信されることができる。ＨＡＲＱのためのＡＣＫ／ＮＡＣＫ信号が送信されるアップリンク搬送波は１次搬送波であり、残りのアップリンク搬送波は２次搬送波である。
【００９２】
前述したように、端末とネットワークとの間の以前の無線状態を反映し、一つのＥ-ＤＣＨに対する部分無線考慮ＲＬＣ ＰＤＵを予め生成する。
【００９３】
しかしながら、二重セルＥ-ＤＣＨのような多重搬送波を導入することによって、端末は複数のＥ-ＤＣＨを一つのＴＴＩにおいて同時に使用することができる。アップリンク許可もアップリンク周波数別（又は、アップリンク搬送波別）に与えられるため、端末は複数のアップリンク許可を有することができる。アップリンク許可受信のためのＥ−ＤＣＨ絶対許可チャネル（Ｅ-ＡＧＣＨ）／Ｅ−ＤＣＨ相対許可チャネル（Ｅ-ＲＧＣＨ）が周波数別に存在し、端末は複数個のアップリンク周波数に対する複数の許可を受信する。受信したアップリンク許可はＥ-ＴＦＣ選択によって各周波数別に送信可能量が決定される。
【００９４】
しかしながら、ＲＬＣエンティティは、既存単一セルＥ-ＤＣＨ送信と同様に論理チャネル別に一つずつだけ存在し、このＲＬＣエンティティが二つの送信可能量を受信したとき、どんな値でＲＬＣ ＰＤＵを生成するかについてはまだ開示されていない。
【００９５】
さらに、既存ＵＭＴＳでは部分無線考慮ＲＬＣ ＰＤＵを先行するＴＴＩの送信量に対して４倍以上生成する。しかしながら、端末が複数のアップリンク周波数を使用する場合、複数のアップリンク許可を介して送信可能なデータ量は、予め生成されたＲＬＣ ＰＤＵのデータ量より大きい。
【００９６】
したがって、以下では端末が複数個のアップリンク周波数のための複数のアップリンク許可を取得したとき、上記複数のアップリンク許可のための部分無線考慮ＲＬＣ ＰＤＵを生成及び送信する方法を提案する。
【００９７】
より具体的には、複数のアップリンク許可に基づいてＲＬＣエンティティがどんな量で何個のＲＬＣ ＰＤＵを予め生成するかについて、次のようなデータブロック送信方法を提案する。
【００９８】
ＲＬＣ ＰＤＵは、ＭＡＣ階層の上位階層であるＲＬＣ階層で生成されるため、上位データブロックと見なされ、ＭＡＣ ＰＤＵは下位データブロックと見なされる。
【００９９】
図１０は、本発明の一実施例に係るデータブロック送信方法を示すフローチャートである。この方法は端末によって実行することができる。
【０１００】
第１のＴＴＩにおいて、端末は複数のアップリンク周波数に対する複数の第１のアップリンク許可を取得する（Ｓ１０１０）。第１のアップリンク許可は、スケジュールされた許可及び／又はスケジュールされていない許可である。複数の第１のアップリンク許可は明示的信号通知によって取得してもよいし、暗黙に取得してもよい。
【０１０１】
端末は、上記複数の第１のアップリンク許可に基づいて基準値を決定する（Ｓ１０２０）。基準値の決定に対しては後述する。
【０１０２】
端末は、基準値に基づいてＲＬＣ ＰＤＵを生成する（Ｓ１０３０）。
【０１０３】
第２のＴＴＩにおいて、端末は複数のアップリンク周波数に対する複数の第２のアップリンク許可を取得する（Ｓ１０４０）。
【０１０４】
端末は、予め生成されたＲＬＣ ＰＤＵを多重化して上記複数の第２のアップリンク許可に基づいてＭＡＣ ＰＤＵを生成する（Ｓ１０５０）。
【０１０５】
端末は、各アップリンク周波数上で各ＭＡＣ ＰＤＵを送信する（Ｓ１０６０）。
【０１０６】
ＭＡＣ階層はＥ-ＤＣＨ送信のために使用可能な送信電力を決定する。上記決定された送信電力をアップリンク許可の数で除して、各周波数においてＥ-ＤＣＨ送信のために使用可能な送信電力を決定する。ＭＡＣ階層は各周波数別に割り当てられた送信電力内でＥ-ＴＦＣ選択を実行する。Ｅ-ＴＦＣ選択を用いて周波数別に送信可能なＭＡＣ ＰＤＵサイズが決定され、各ＲＬＣエンティティで送信するＲＬＣ ＰＤＵのサイズの総和を決定する。ＭＡＣ階層は各ＲＬＣエンティティで送信するＲＬＣ ＰＤＵのサイズの総和を各ＲＬＣエンティティに知らせる。各ＲＬＣエンティティは、ＭＡＣが知らせたＲＬＣ ＰＤＵのサイズの総和に合うように上記予め生成されたＲＬＣ ＰＤＵをＭＡＣ階層に伝達する。
【０１０７】
もし、予め生成されたＲＬＣ ＰＤＵの合計サイズが、ＭＡＣ階層が知らせたＲＬＣ ＰＤＵの総和より小さい場合、ＲＬＣエンティティは予め生成されたＲＬＣ ＰＤＵ全部をＭＡＣ階層に伝達し、足りない部分ほどＲＬＣ ＰＤＵを追加に生成してＭＡＣ階層に伝達する。ＭＡＣ階層に伝達されたＲＬＣ ＰＤＵは、高い優先順位を有する論理チャネルのＲＬＣ ＰＤＵから順にＭＡＣ ＰＤＵに多重化される。
【０１０８】
以下、基準値を決定する基準（ｃｒｉｔｅｒｉｏｎ）について説明する。
【０１０９】
まず、端末は複数のアップリンク許可に対してＥ-ＴＦＣ選択を実行して、各アップリンク許可によって送信することができるデータ量を論理チャネル別（又はＲＢ別）に決定する。各アップリンク許可に対して送信可能なデータ量は、各アップリンク許可に対して送信可能なデータの最大量である。
【０１１０】
この各アップリンク許可に対して決定されたデータ量を基準に、次のように基準値を決定することができる。
【０１１１】
第１の方式においては、決定されたデータ量のうち最小量を基準値に決定することができる。第１のアップリンク周波数上の第１のアップリンク許可のデータの第１の量と、第２のアップリンク周波数上の第２のアップリンク許可のデータの第２の量とのうち最小量を基準値に決定する。
【０１１２】
第２の方式においては、決定されたデータ量のうち最大量を基準値に決定することができる。第１のアップリンク周波数上の第１のアップリンク許可のデータの第１の量と、第２のアップリンク周波数上の第２のアップリンク許可のデータの第２の量のうち最大量を基準値に決定する。
【０１１３】
第３の方式においては、決定されたデータ量の平均を基準値に決定することができる。
【０１１４】
第４の方式においては、複数のアップリンク許可のうち、１次周波数のためのアップリンク許可のデータ量を基準値に決定することができる。
【０１１５】
第５の方式においては、決定されたデータ量の総和を基準値に決定することができる。
【０１１６】
第６の方式においては、複数のアップリンク周波数のうち基準値を決定するアップリンク周波数を基地局が端末に知らせてもよいし、予め指定してもよい。端末は、指定された周波数のためのアップリンク許可のデータ量を基準値に決定することができる。端末が基地局からアップリンク周波数の指定を受信することができない場合、端末は上記第１及び第５の方式のうち一つを用いて基準値を決定することができる。
【０１１７】
上記第１ないし第６の方式のうち決定されたデータ量のうち最小量を基準値に決定すると、ＴＴＩ別に送信可能なデータ量が変化しても予め生成されたＲＬＣ ＰＤＵを分割する可能性が低くなり、ＭＡＣ階層における多重化／逆多重化の複雑度を低めることができる。したがって、提案された方式のうち第１の方式が最も効率的である。
【０１１８】
図１１は、段階Ｓ１０３０のＲＬＣ ＰＤＵ生成を示すフローチャートである。
【０１１９】
端末のＲＬＣ階層は基準値に基づいてＲＬＣ ＰＤＵのサイズを決定する（Ｓ１０３１）。第１のアップリンク周波数上の第１のアップリンク許可と、第２のアップリンク周波数上の第２のアップリンク許可とがあると仮定し、上記第１の方式を考慮する。第１のアップリンク周波数上の第１のアップリンク許可によって送信可能なデータの最大量と、第２のアップリンク周波数上の第２のアップリンク許可によって送信可能なデータの最大量とのうち最小量を基準値に決定することができる。各ＲＬＣ ＰＤＵが基準値に一致するようにＲＬＣ ＰＤＵのデータフィールドのサイズが決定される。
【０１２０】
端末のＲＬＣ階層は、生成されたＲＬＣ ＰＤＵ内のデータ量が基準値の倍数になるようにＲＬＣ ＰＤＵを生成する（Ｓ１０３２）。生成されたＲＬＣ ＰＤＵ内のデータ量は基準値の８倍に等しいか、又は小さい。
【０１２１】
従来は、最大４倍までＲＬＣ ＰＤＵが予め生成されたが、使用可能な周波数の数が増加することによって予め生成されるＲＬＣ ＰＤＵの量を増加させることができる。例えば、定数ｎ、アップリンク周波数の個数をｍとするとき、予め生成されるＲＬＣ ＰＤＵの量を基準値の（ｎ＊ｍ）倍になるようにすることができる。
【０１２２】
予め生成されたＲＬＣ ＰＤＵ内のデータ量が基準値の８倍より小さい場合、ＲＬＣ ＰＤＵを追加で予め生成することができる。
【０１２３】
以前に予め生成されたＲＬＣ ＰＤＵの合計サイズが特定サイズより大きいか、等しいときは、ＲＬＣエンティティはこれ以上ＲＬＣ ＰＤＵを生成しない。
【０１２４】
図１２は、提案された方法を実施する一例を示す。
【０１２５】
ＭＡＣ階層は、Ｅ‐ＴＦＣ選択を介して第１のアップリンク許可Ｇ１及び第２のアップリンク許可Ｇ２によって論理チャネルＬＣ１において送信可能なデータ量を決定し、ＲＬＣ階層に伝達する。第１のアップリンク許可Ｇ１に対するデータ量は１００バイトであり、第２のアップリンク許可Ｇ２に対するデータ量は２００バイトである。
【０１２６】
したがって、ＲＬＣ階層は、第１のアップリンク許可Ｇ１のデータ量と第２のアップリンク許可Ｇ２のデータ量とのうち最小量である１００バイトを基準値に決定する。ＲＬＣ階層の論理チャネルＬＣ１は、基準値に該当するサイズのＲＬＣ ＰＤＵを予め生成する。
【０１２７】
次のＴＴＩにおいて、ＭＡＣ階層は予め生成されたＲＬＣ ＰＤＵを多重化してＭＡＣ ＰＤＵを生成する。ここでは、サイズ１００バイトであるＭＡＣ ＰＤＵ１２１０とサイズ２００バイトであるＭＡＣ ＰＤＵ１２２０とを生成することを示す。
【０１２８】
図１３は、提案された方法を実施する他の例を示す。図１２の例と比較し、優先順位が同一な３個の論理チャネルがある場合である。
【０１２９】
ＭＡＣ階層は、第１のアップリンク許可Ｇ１及び第２のアップリンク許可Ｇ２に基づいて、論理チャネルＬＣ１、ＬＣ２、Ｌ３において送信可能なデータ量を決定する。第１のアップリンク許可Ｇ１に基づいて送信可能なデータ量は、例えば、ＬＣ１は５０バイト、ＬＣ２は３０バイト、ＬＣ３は２０バイトと仮定する。また、第２のアップリンク許可Ｇ２に基づいて送信可能なデータ量は、例えば、ＬＣ１は１００バイト、ＬＣ２は６０バイト、ＬＣ３は４０バイトと仮定する。
【０１３０】
基準値が論理チャネル別に決定された２個のデータ量のうち最小量の場合、ＬＣ１の基準値は５０バイト、ＬＣ２の基準値は３０バイト、ＬＣ３の基準値は２０バイトである。したがって、ＬＣ１は５０バイトのサイズを有するＲＬＣ ＰＤＵを生成し、ＬＣ２は３０バイトのサイズを有するＲＬＣ ＰＤＵを生成し、ＬＣ３は２０バイトのサイズを有するＲＬＣ ＰＤＵを生成する。
【０１３１】
次のＴＴＩにおいて、ＭＡＣ階層は予め生成されたＲＬＣ ＰＤＵを多重化してＭＡＣ ＰＤＵを生成する。ここでは、サイズ１００バイトであるＭＡＣ ＰＤＵ１３１０とサイズ２００バイトであるＭＡＣ ＰＤＵ１３２０とを生成することを示す。
【０１３２】
図１４は、本発明の実施例を具現する無線装置を示すブロック図である。無線装置１４００は端末の一部である。
【０１３３】
無線装置１４００は、プロセッサ１４１０、無線インタフェース部１４２０、メモリ１４３０、及びユーザインタフェース部１４４０を含む。
【０１３４】
プロセッサ１４１０は、無線インタフェースプロトコルの階層を具現し、ＭＡＣ階層及びＲＬＣ階層を具現する。プロセッサ１４１０は、ＭＡＣ階層を具現するＭＡＣエンティティ１４１１及びＲＬＣ階層を具現するＲＬＣエンティティ１４１２を含むことができる。プロセッサ１４１０は、前述した図１０ないし図１１の実施例によってデータブロック（ＲＬＣ ＰＤＵ及びＭＡＣ ＰＤＵ）を生成する。
【０１３５】
無線インタフェース部１４２０は、プロセッサと接続され、複数の周波数上にデータブロックを送信する。メモリ１４３０は、プロセッサと接続され、データブロックを記憶する。ユーザインタフェース部１４４０はプロセッサと接続されてユーザインタフェースを提供する。
【０１３６】
プロセッサは、特定用途集積回路（ＡＳＩＣ）、他のチップセット、論理回路及び／又はデータ処理装置を含むことができる。メモリは、ＲＯＭ、ＲＡＭ、フラッシュメモリ、メモリカード、記憶媒体及び／又は他の記憶装置を含むことができる。実施例がソフトウェアで具現されるとき、前述した方法は、前述した機能を遂行するモジュール（過程、機能など）によって具現することができる。モジュールは、メモリに記憶され、プロセッサによって実行することができる。メモリは、プロセッサ内部又は外部にあり、よく知られた多様な手段でプロセッサと接続することができる。
【０１３７】
前述した例示的なシステムにおいて、方法は一連の段階又はブロックとしてフローチャートに基づいて説明されているが、本発明は、上記の段階の順序に限定されるものではなく、ある段階は、別の順序で、又は別の段階と同時に発生することができる。また、当業者であれば、フローチャートに示す段階が排他的でなく、他の段階を含めたり、フローチャートの一つ又はそれ以上の段階が本発明の範囲に影響を及ぼさずに削除したりすることが可能であることを理解できるであろう。
【０１３８】
前述した実施例は多様な態様の例示を含む。多様な態様を示すためのすべての可能な組合せを記述することはできないが、該当技術分野の通常の知識を有する者は、他の組合せが可能であることを認識できるであろう。したがって、本発明は、特許請求の範囲内に属する他の代替、修正、及び変更を含む。
【図１】
2013500675.tif 000003
【図２】
2013500675.tif 000004
【図３】
2013500675.tif 000005
【図４】
2013500675.tif 000006
【図５】
2013500675.tif 000007
【図６】
2013500675.tif 000008
【図７】
2013500675.tif 000009
【図８】
2013500675.tif 000010
【図９】
2013500675.tif 000011
【図１０】
2013500675.tif 000012
【図１１】
2013500675.tif 000013
【図１２】
2013500675.tif 000014
【図１３】
2013500675.tif 000015
【図１４】
2013500675.tif 000016
【国際調査報告】
2013500675.tif 000017
2013500675.tif 000018